(57)【要約】【課題】二段階切り換え用の操作装置であって、小型化と操作感の向上とを両立した操作装置を提供する。【解決手段】操作装置は、非操作位置からの操作が可能な操作部材１４と、操作部材が非操作位置から第１の操作量操作されることに応じて切り換わる第１のスイッチ１５と、操作部材が非操作位置から第１の操作量より大きい第２の操作量操作されることに応じて切り換わる第２のスイッチ１６ａ，１６ｂとを有する。第１のスイッチは、操作部材の移動によって動く切り換えレバー部１５ａを有し、第２のスイッチは、操作部材の操作方向端部１４ｂ１，１４ｂ２が突き当たることで切り換わる。【選択図】図４
2008186651.tif 000002
【特許請求の範囲】
【請求項１】
非操作位置からの操作が可能な操作部材と、
前記操作部材が前記非操作位置から第１の操作量操作されることに応じて切り換わる第１のスイッチと、
前記操作部材が前記非操作位置から前記第１の操作量より大きい第２の操作量操作されることに応じて切り換わる第２のスイッチとを有し、
前記第１のスイッチは、前記操作部材の移動によって動く切り換えレバー部を有し、前記第２のスイッチは、前記操作部材の操作方向端部が突き当たることで切り換わることを特徴とする操作装置。
【請求項２】
前記第２のスイッチの切り換わり時に前記操作部材にクリック感を生じさせるクリック機構を有することを特徴とする請求項１に記載の操作装置。
【請求項３】
前記クリック機構が前記第２のスイッチに内蔵されていることを特徴とする請求項２に記載の操作装置。
【請求項４】
前記第２のスイッチが、第１及び第２の導電部材により構成され、
前記操作部材の前記操作方向端部に前記第１の導電部材が取り付けられており、
該操作方向端部が前記第１の導電部材を介して前記第２の導電部材に突き当たることで該第２のスイッチが切り換わることを特徴とする請求項１に記載の操作装置。
【請求項５】
前記操作部材は、前記非操作位置から両方向に操作可能であり、
該操作部材の操作方向両端部が、２つの前記第２のスイッチそれぞれに突き当たることを特徴とする請求項１に記載の操作装置。
【請求項６】
前記操作部材の内側に、該操作部材を前記非操作位置に戻す弾性部材が配置されていることを特徴とする請求項１から５のいずれか１つに記載の操作装置。
【請求項７】
請求項１から６のいずれか１つに記載の操作装置を備え、
前記第１及び第２のスイッチのそれぞれの切り換わりに応じた動作を行うことを特徴とする電子機器。
【請求項８】
被写体像を光電変換する撮像系を有し、
前記第１のスイッチの切り換わりに応じて第１の速度でズーム動作を行い、前記第２のスイッチの切り換わりに応じて前記第１の速度より速い第２の速度でズーム動作を行うことを特徴とする請求項７に記載の電子機器。
【発明の詳細な説明】
【技術分野】
【０００１】
本発明は、電子機器に搭載される、二段階スイッチ機能を備えた操作装置に関するものである。
【背景技術】
【０００２】
電子撮像装置のような電子機器では、ズーミング用操作部材を中立位置（非操作位置）から一方向に操作するとワイド方向にズーミングが行われ、他方向に操作するとテレ方向にズーミングが行われることが多い。
【０００３】
また、高倍率ズーム機能を有する電子撮像装置においては、ズーミング用操作部材の操作によってズーム速度を高速と低速の二段階に切り換えることができるものがある（例えば、特許文献１参照）。該特許文献１では、シーソー型ズームスイッチに板ばねにより構成されるスイッチ操作板を取り付け、該スイッチを軽く押すと低速ズーミング用のスイッチがオンし、該スイッチを強く押すと高速ズーミング用のスイッチがオンする操作装置を開示している。
【特許文献１】特開平５−１６７９０７号公報（段落０００８、図１〜４等）
【発明の開示】
【発明が解決しようとする課題】
【０００４】
しかしながら、特許文献１にて開示された操作装置はその構成上、小型化には不向きであり、電子機器の小型化が進むなかでこのような操作装置を電子機器に組み込むことは難しい。
【０００５】
また、使用者にとって、ズーム速度の高速と低速の切り換えを操作力の強弱調整によって行う上記操作装置では、良好な操作感や所望のズーム速度を得にくい。すなわち、このような電子撮像装置では、ズーム速度を変化させるのに必要な操作部材の移動量を使用者に認識させる機構がないと、使用者が意図したズーム速度を迅速かつ容易に得ることが難しい。
【０００６】
本発明は、二段階切り換え用の操作装置であって、小型化と操作感の向上とを両立した操作装置を提供することを目的の１つとしている。
【課題を解決するための手段】
【０００７】
本発明の一側面としての操作装置は、非操作位置からの操作が可能な操作部材と、操作部材が非操作位置から第１の操作量操作されることに応じて切り換わる第１のスイッチと、操作部材が非操作位置から第１の操作量より大きい第２の操作量操作されることに応じて切り換わる第２のスイッチとを有する。そして、第１のスイッチは、操作部材の移動によって動く切り換えレバー部を有し、第２のスイッチは、操作部材の操作方向端部が突き当たることで切り換わることを特徴とする。
【０００８】
なお、上記操作装置を備え、第１及び第２のスイッチのそれぞれの切り換わりに応じた動作を行う（例えば、第１のスイッチの切り換わりに応じて第１の速度でズーム動作を行い、第２のスイッチの切り換わりに応じて第１の速度より速い第２の速度でズーム動作を行う）電子機器も本発明の他の側面を構成する。
【発明の効果】
【０００９】
本発明では、操作部材によって切り換えレバー部を動かして第１のスイッチを切り換えるとともに、操作部材の操作方向端部を第２のスイッチに突き当てることで第２のスイッチを切り換える。このため、第１のスイッチを切り換えている状態と第２のスイッチを切り換えている状態とで操作部材から使用者が受ける操作感を異ならせることができる。したがって、どのスイッチの切り換え状態にあるかを使用者に認識させることができる。つまり、本発明によれば、小型でありながらも、良好な操作感を有する二段階切り換え操作が可能な操作装置を実現することができる。
【発明を実施するための最良の形態】
【００１０】
以下、本発明の好ましい実施例について図面を参照しながら説明する。
【実施例１】
【００１１】
図１及び図２には、本発明の実施例１である操作装置を備えた電子機器としての電子撮像装置（以下、カメラという）を示している。
【００１２】
カメラ１には、被写体からの光により光学像（被写体像）を形成する撮像光学系を収容したレンズ鏡筒２と、該被写体像を光電変換して画像デ−タを生成するＣＣＤセンサやＣＭＯＳセンサ等の撮像素子２５等を含む撮像系が内蔵されている。
【００１３】
図１に示すカメラ１の前面には、レンズ鏡筒２が沈胴状態（収納状態）にあるときにレンズ面を保護するためのレンズバリア３が開閉可能に設けられている。５はファインダ窓であり、６はフラッシュ発光窓であり、閉じたレンズバリア３はこれらも覆うことができる。８はシャッタボタンである。このシャッタボタン８を半押し操作すると、測光動作やＡＦ動作等の撮影準備動作が行われ、全押し操作すると、撮像動作及び撮像された画像の半導体メモリ等の記録媒体に対する記録動作が行われる。
【００１４】
図２に示すカメラの背面には、液晶表示パネル７が設けられており、ここには撮像しようとする被写体像や撮像された画像が表示される。９は電池／メモリ室蓋であり、この蓋９を開くことで、電源となる電池や上記記録媒体を出し入れすることができる。
【００１５】
１０はモード設定ダイヤルであり、該ダイヤル１０を回転させることで、撮像モードの設定を行うことができる。
【００１６】
１１はストラップ取り付けリング、１２は電源及び信号入出力用のジャックを保護するカバー部材である。
【００１７】
１３はカメラの各種機能や設定を選択する際に操作される選択ボタンである。
【００１８】
１４はズーム方向の選択とズーム速度の二段階切り換えを行うために操作されるズームレバー（操作部材）であり、上記操作装置の一部である。該ズームレバー１４には、操作つまみ１４ｄが設けられている。該ズームレバー１４を中立位置（非操作位置）から下方に操作すると、撮像光学系の焦点距離及び電子ズーム状態をワイド方向に変更することができる。また、該ズームレバー１４を中立位置から上方に操作すると、撮像光学系の焦点距離及び電子ズーム状態をテレ方向に変更することができる。さらに、ズームレバー１４の中立位置からの操作量がその操作端よりも手前までの量であるときはズーム速度が低速（第１の速度）に設定され、その操作量を超えるとズーム速度が高速（第２の速度）に設定される。
【００１９】
図３及び図４には、上記ズームレバー１４を備えたズーム操作装置の構成を示している。ズームレバー１４は二重の円弧板形状部を有する部材であり、上側（外側）の円弧板形状部の外面に操作つまみ１４ｄが形成されている。また、下側（内側）の円弧板形状部における操作方向中央部には、後述する第１のスイッチ１５に設けられた切り換えレバー部１５ａに係合する係合部１４ａが形成されている。さらに、下側の円弧板形状部における操作方向両端部には、後述する第２のスイッチ１６ａ，１６ｂを押すための突起部１４ｂ１，１４ｂ２が形成されている。
【００２０】
第１のスイッチ１５は、ズームレバー１４の中立位置からの移動（操作）に伴い、切り換えレバー部１５ａがその中立位置から両側の切り換え位置に動かされることによって、その切り換え位置に応じた信号を出力する。すなわち、オフ状態からオン状態に切り換わる。第１のスイッチ１５は、ズームレバー１４が中立位置から第１の操作量以上操作されることで、オフ状態からオン状態に切り換わる。
【００２１】
第２のスイッチ１６ａ，１６ｂは、板バネスイッチであり、図４に一点鎖線で示したように、ズームレバー１４に設けられた突起部１４ｂ１，１４ｂ２が該スイッチ１６ａ，１６ｂの上面に突き当たる（押し込む）ことで信号を出力する。すなわち、オフ状態からオン状態に切り換わる。突起部１４ｂ１，１４ｂ２がスイッチ１６ａ，１６ｂに突き当たるためには、ズームレバー１４を中立位置から上記第１の操作量より大きい第２の操作量、ここではズームレバー１４の操作端又はその直前までの操作量だけ操作する必要がある。
【００２２】
上述したように、第１のスイッチ１５は切り換えレバー部１５ａが動くことで切り換わり、第２のスイッチ１６ａ，１６ｂは突起部１４ｂ１，１４ｂ２が突き当たることで切り換わる。このため、ズームレバー１４を第１のスイッチ１５の切り換え領域で操作している状態と第２のスイッチ１６ａ，１６ｂの切り換え領域で操作している状態とでは、使用者がズームレバー１４から受ける操作感が異なる。一般に、第２のスイッチ１６ａ，１６ｂの切り換え領域の方が重い又は硬い操作感となる。したがって、使用者は、いちいちズームレバー１４の操作量を目で確認しなくても、第１及び第２のスイッチのうちどのスイッチの切り換え領域でズームレバー１４を操作しているかを認識することができる。
【００２３】
第１のスイッチ１５から信号が出力されると、カメラ１に内蔵されているマイクロコンピュータ等のコントローラ（図示せず）が、ズーム速度を低速に設定するとともに、その信号に対応した方向にズーム動作を行わせる。また、第２のスイッチ１６ａ，１６ｂのうち一方から信号が出力されると、コントローラはズーム速度を高速に設定するとともに、その信号に対応した方向にズーム動作を行わせる。
【００２４】
なお、第２のスイッチ１６ａ，１６ｂである板バネスイッチに、突起部１４ｂ１，１４ｂ２が突き当てられたときにクリック感を生じさせるクリック機構を内蔵してもよい。これにより、第２のスイッチ１６ａ，１６ｂを切り換えたときに、ズームレバー１４を通じて使用者にクリック感を与えることができる。したがって、第２のスイッチ１６ａ，１６ｂの切り換え領域をより明確に使用者に認識させることができる。
【００２５】
また、図４に示すように、ズームレバー１４の内側（二重の円弧板形状部の内側）には、溝１４ｅが形成されており、該溝１４ｅの内部には、ズームレバー１４を中立位置に戻すための弾性部材であるバネ１９が配置されている。ズームレバー１４が中立位置から操作されてバネ１９が変形することで該バネ１９に生じた復元力（付勢力）によって、ズームレバー１４を確実に中立位置に戻すことができる。
【実施例２】
【００２６】
図５には、本発明の実施例２であるズーム操作装置の構成を示している。なお、実施例１と共通する構成要素には、実施例１と同符号を付して説明に代える。図中に一点鎖線で示すように、
本実施例は、第２のスイッチ１７ａ，１７ｂとして、いわゆるタクトスイッチを用いた点で実施例１と異なり、他の構成は実施例１と同じである。
【００２７】
第１のスイッチ１５は、実施例１でも説明したように、ズームレバー１４の中立位置からの移動（操作）に伴い、切り換えレバー部１５ａがその中立位置から両側の切り換え位置に動かされることによって、その切り換え位置に応じた信号を出力する。第１のスイッチ１５は、ズームレバー１４が中立位置から第１の操作量以上操作されることで、信号を出力する（オフ状態からオン状態に切り換わる）。
【００２８】
第２のスイッチ（タクトスイッチ）１７ａ，１７ｂは、ズームレバー１４に設けられた突起部１４ｂ１，１４ｂ２が該スイッチ１７ａ，１７ｂの上面に突き当たる（押し込む）ことで信号を出力する。突起部１４ｂ１，１４ｂ２がスイッチ１７ａ，１７ｂに突き当たるためには、ズームレバー１４を中立位置から上記第１の操作量より大きい第２の操作量（ズームレバー１４の操作端又はその直前までの操作量）だけ操作する必要がある。
【００２９】
本実施例でも、ズームレバー１４を第１のスイッチ１５の切り換え領域で操作している状態と第２のスイッチ１６ａ，１６ｂの切り換え領域で操作している状態とでは、使用者がズームレバー１４から受ける操作感が異なる。したがって、使用者は、いちいちズームレバー１４の操作量を目で確認しなくても、第１及び第２のスイッチのうちどのスイッチの切り換え領域でズームレバー１４を操作しているかを認識することができる。
【００３０】
第１及び第２のスイッチ１５，１７ａ，１７ｂとズーム速度との関係は、実施例１と同じである。
【００３１】
また、本実施例で第２のスイッチとして用いるタクトスイッチには、突起部１４ｂ１，１４ｂ２が突き当てられたときにクリック感を生じさせるクリック機構が内蔵されている。これにより、第２のスイッチ１７ａ，１７ｂを切り換えたときに、ズームレバー１４を通じて使用者にクリック感を与えることができ、第２のスイッチの切り換え領域をより明確に使用者に認識させることができる。
【実施例３】
【００３２】
図６には、本発明の実施例３であるズーム操作装置の構成を示している。なお、実施例１と共通する構成要素には、実施例１と同符号を付して説明に代える。
【００３３】
本実施例では、ズームレバー１４の突起部１４ｂ１，１４ｂ２に第１の導電部材（例えば、導電ゴム）１８ａ，１８ｂをそれぞれ取り付けている。また、第１の導電部材１８ａ，１８ｂが接触可能な第２の導電部材（例えば、回路パターン）２０ａ，２０ｂを有するフレキシブル基板２０を設けている。第１の導電部材１８ａ，１８ｂと第２の導電部材２０ａ，２０ｂとにより２つの第２のスイッチが構成される。第１のスイッチ１５については、実施例１，２と同じである。
【００３４】
第２のスイッチは、ズームレバー１４の突起部１４ｂ１，１４ｂ２に取り付けられた第１の導電部材１８ａ，１８ｂが第２の導電部材２０ａ，２０ｂに接触することで信号を出力する（オフ状態からオン状態に切り換わる）。言い換えれば、第２のスイッチは、ズームレバー１４の突起部１４ｂ１，１４ｂ２が、第１の導電部材１８ａ，１８ｂを介して第２の導電部材２０ａ，２０ｂに突き当たることで信号を出力する。
【００３５】
第１の導電部材１８ａ，１８ｂを第２の導電部材２０ａ，２０ｂに接触させるためには、ズームレバー１４を中立位置から第１のスイッチ１５から信号が発生する第１の操作量より大きい第２の操作量だけ操作する必要がある。すなわち、ズームレバー１４をその操作端又はその直前までの操作量に相当する第２の操作量操作する必要がある。
【００３６】
本実施例でも、ズームレバー１４を第１のスイッチ１５の切り換え領域で操作している状態と第２のスイッチ１６ａ，１６ｂの切り換え領域で操作している状態とでは、使用者がズームレバー１４から受ける操作感が異なる。したがって、使用者は、いちいちズームレバー１４の操作量を目で確認しなくても、第１及び第２のスイッチのうちどのスイッチの切り換え領域でズームレバー１４を操作しているかを認識することができる。
【００３７】
第１及び第２のスイッチ１５，（１８ａ，２０ａ），（１８ｂ，２０ｂ）とズーム速度との関係は、実施例１と同じである。
【００３８】
また、本実施例では、ズームレバー１４における突起部１４ｂ１，１４ｂ２付近に穴１４ｃを形成し、この穴１４ｃ内に、第２のスイッチが切り換えられたときにクリック感を発生するクリックボール等のクリック部材を挿入する。これにより、第２のスイッチを切り換えたときに、ズームレバー１４を通じて使用者にクリック感を与えることができ、第２のスイッチの切り換え領域をより明確に使用者に認識させることができる。
【００３９】
なお、上記各実施例は、本発明を実施するための例に過ぎず、各実施例に対して様々な変更や変形が可能である。
【００４０】
例えば、上記各実施例では、第２のスイッチが切り換えられたときにクリック感を発生するクリック機構を有する場合について説明したが、必ずしもクリック機構を設けなくてもよい。
【００４１】
また、上記各実施例では、操作部材を中立位置から両方向に操作可能とした操作装置について説明したが、本発明は、操作部材を非操作位置から一方向に操作可能な操作装置にも適用することができる。
【００４２】
また、本発明は、上記各実施例のようなレバー式の操作部材を有する場合に限らず、回転式やスライド式等の操作部材を有するスイッチにも適用することができる。
【００４３】
さらに、上記各実施例では、ズーム速度の二段階切り換えを行う場合について説明したが、本発明はこれ以外の二段階又は２つの動作の切り換えを行う操作装置にも適用できる。
【００４４】
例えば、記録媒体に記録された画像を液晶表示パネルに再生表示する再生モードにおいて、第１のスイッチからの信号に応じて実行される機能と第２のスイッチからの信号に応じて実行される機能とを異ならせてもよい。具体的には、再生モードにおいて、第１のスイッチからの信号に応じて画像の拡大・縮小を行い、第２のスイッチからの信号に応じてインデックス表示を行わせるようにすることができる。
【００４５】
また、再生モードにおいて、第２のスイッチからの信号に応じた画像の拡大・縮小の速度を、第１のスイッチからの信号に応じた該拡大・縮小の速度より速くするようにしてもよい。
【００４６】
さらに、上記各実施例では、電子撮像装置に操作装置を搭載した場合について説明したが、本発明の撮像装置は、電子撮像装置以外の電子機器にも搭載することができる。
【図面の簡単な説明】
【００４７】
【図１】本発明の実施例１である操作装置を備えた電子撮像装置の正面斜視図。
【図２】上記電子撮像装置の背面斜視図である。
【図３】上記操作装置の斜視図。
【図４】上記操作装置の断面図。
【図５】本発明の実施例２である操作装置の断面図。
【図６】本発明の実施例３である操作装置の断面図。
【符号の説明】
【００４８】
１  カメラ（電子撮像装置）
２  レンズ鏡筒
１４  ズームレバー
１４ａ  係合部
１４ｂ１，１４ｂ２  突起部
１５  第１のスイッチ
１６ａ，１６ｂ，１７ａ，１７ｂ，１８ａ，１８ｂ  第２のスイッチ
【図１】
2008186651.tif 000003
【図２】
2008186651.tif 000004
【図３】
2008186651.tif 000005
【図４】
2008186651.tif 000006
【図５】
2008186651.tif 000007
【図６】
2008186651.tif 000008